(57)【要約】【課題】この発明は、面倒なく容易に犬の排尿を除菌、消臭効果のある洗浄液で洗浄することを目的とする。【解決手段】  タンク部３と、該タンク部３に封入した内容物を勢いよく噴射するノズル７を備え、消臭成分と除菌成分とを含有する混合洗浄液１０と、噴射剤とを封入し、前記混合洗浄液１０にオゾン除菌水を用いた。【選択図】    図３
2006167343.tif 000002
【特許請求の範囲】
【請求項１】
封入部と、該封入部に封入した内容物を勢いよく噴射する噴射口とを備え、
前記封入部に、消臭成分と除菌成分とを含有する洗浄液と、噴射剤とを封入した
除菌消臭洗浄剤噴射装置。
【請求項２】
前記洗浄液としてオゾン除菌水を用いた
請求項１に記載の除菌消臭洗浄装置。
【請求項３】
前記洗浄液として、オゾン除菌水に生石灰を混入してろ過した生石灰ろ過液を用いた
請求項２に記載の除菌消臭洗浄装置。
【請求項４】
前記消臭成分として緑茶抽出成分を用いた
請求項１、２または３に記載の除菌消臭洗浄装置。
【請求項５】
前記除菌成分をアルコールで形成した
請求項１から４のうちいずれか１つに記載の除菌消臭洗浄装置。
【請求項６】
前記洗浄液と前記噴射剤との質量配合比を、
前記噴射剤が４０％以上となるように構成した
請求項１から５のうちいずれか１つに記載の除菌消臭洗浄装置。
【請求項７】
前記洗浄液に、忌避成分を追加した
請求項１から６のうちいずれか１つに記載の除菌消臭洗浄装置。
【発明の詳細な説明】
【技術分野】
【０００１】
この発明は、例えばペットの散歩の際に排便の後に使用するような除菌消臭洗浄装置に関する。
【背景技術】
【０００２】
近年のペットブームのなか、多くの人が自己の健康維持を兼ねてペットの散歩をしている。そのようなペットのうち特に犬は、電柱や、他人の家屋の門柱等に排泄することで、自分の縄張りであることを示すマーキングをする習性があるため、一回の散歩で複数回の尿を排泄することが多い。
【０００３】
飼い主のモラルの向上に伴い、散歩中に犬が排泄した大便については、持参した袋等に入れて持ち帰るが、排尿については、排尿を行った箇所がたとえ他人の家屋の門柱であっても、そのまま何もしない飼い主が多い。
【０００４】
その場合、尿に含まれるアンモニア等によって、尿が乾燥することで悪臭を発するとともに、ばい菌が繁殖し、そのばい菌が浮遊して拡散される。  
また、例えば、レプトスピラ症等の病気に感染した犬の排尿である場合には、尿に含まれた病原菌も拡散され、犬だけでなく人間にも感染する惧れがある。
【０００５】
上記状況は、風通りの悪い路地等では、悪臭や浮遊されたばい菌、病原菌が拡散されにくく、さらに状況を悪化させることがあった。また、大人と比べて抵抗力の弱い幼児は、浮遊されたばい菌、病原菌の密度の濃い路面近くの空気を呼吸しているため、ばい菌、病原菌の影響は大きかった。
【０００６】
そこで、消臭、除菌効果の有する粉末を、散歩に使用する分だけ前もってペットボトル等に入れて水で溶解し、それを持参して、犬が尿を排泄した箇所に掛けるペットの散歩用洗浄セットが提案されている（特許文献１参照）。
【０００７】
しかし、前もって粉末を水に溶解しなければならない散歩用洗浄セットを、散歩する際に持参することは面倒であった。また、尿は大便ほどの悪臭、ばい菌がないとイメージするため、このような面倒なことは行わない飼い主が多く、普及するには至らなかった。
【０００８】
【特許文献１】特開２００２−２２３６５７号公報
【発明の開示】
【発明が解決しようとする課題】
【０００９】
この発明は、面倒なく容易に犬の排尿を除菌、消臭効果のある洗浄液で洗浄することを目的とする。
【課題を解決するための手段】
【００１０】
この発明は、封入部と、該封入部に封入した内容物を勢いよく噴射する噴射口とを備え、前記封入部に、消臭成分と除菌成分とを含有する洗浄液と、噴射剤とを封入した除菌消臭洗浄剤噴射装置であることを特徴とする。
【００１１】
前記封入部は、アルミ、スチール等の金属によって形成されていることを含み、円筒形等のスプレー缶で形成することを含む。  
前記洗浄液は、水、または性状効果のある液状体であることを含み、また誤飲した場合であっても無害な液状体であればより望ましい。  
消臭成分は、例えばフラボノイド等の消臭効果のある物質で構成することを含み、また経口摂取した場合であっても無害な成分で形成されていることがより望ましい。  
除菌成分は、例えばアルコール等の除菌効果のある物質で構成することを含み、また経口摂取した場合であっても無害な成分で形成されていることがより望ましい。
【００１２】
前記消臭成分と除菌成分とを含有する洗浄液は、洗浄液に消臭成分と除菌成分が溶解している洗浄液であることを含む。  
前記噴射剤は、液化石油ガス、ジメチルエーテル、または不活性ガスであることを含む。
【００１３】
上記構成により、消臭効果および除菌効果のある洗浄液を噴射容器から噴射させることができる。  
これによって、利用者は、散歩中の犬の排尿に洗浄液を噴射させるだけで、排尿を洗浄するとともに、消臭効果ならびに除菌効果を得ることができる。  
また、粉末を水に溶解させてペットボトルに入れるといった面倒な作業をせずとも、除菌消臭洗浄剤噴射装置のみを持参するだけで、容易に消臭効果ならびに除菌効果のある洗浄を行うことができるため、利用者の満足度を向上させることができる。
【００１４】
したがって、多くの飼い主に普及させることができるため、衛生環境の向上、または飼い主モラルの向上を図ることができる。  
また、噴射することで排尿を洗い流すことができる。
【００１５】
この発明の態様として、前記洗浄液としてオゾン除菌水を用いることができる。  
前記オゾン除菌水は、水道水や蒸留水等の水をオゾンで除菌したオゾン除菌水、または水にオゾンを溶解したオゾン除菌水であることを含む。
【００１６】
これにより、洗浄液自体が除菌効果を有するため、さらなる除菌効果を得ることができる。  
したがって、洗浄液が乾燥するまでの間の所定期間の除菌効果を得ることができる。
【００１７】
また、尿にヌメリがあった場合であっても、洗浄液に溶解したオゾンによってヌメリを除去することができる。
【００１８】
また、例えば水道水を原料としたオゾン除菌水は、水道水に含まれる不要含有物を除去することができるため、水道水を洗浄液の原材料として使用することができる。したがって洗浄液のコストを低減することができる。
【００１９】
また、この発明の態様として、前記洗浄液として、オゾン除菌水に生石灰を混入してろ過した生石灰ろ過液を用いることができる。
【００２０】
前記生石灰は、貝殻焼成カルシウムであることを含む。  
前記生石灰ろ過液は、貝殻焼成カルシウムを混入したオゾン除菌水をろ過したろ過液であることを含む。
【００２１】
これにより、洗浄液自体の除菌効果をさらに向上することができる。  
また、洗浄液自体の鮮度を保持することができるため、洗浄液の使用可能期限を長く設定することができる。
【００２２】
また、この発明の態様として、前記消臭成分として緑茶抽出成分を用いることができる。
【００２３】
前記緑茶抽出成分は、緑茶より抽出したフラボノイドであることを含む。  
上記構成により、フラボノイドが酸性、アルカリ性またはそれらが複合した悪臭を分解するとともに、天然抽出物であるため安全に消臭効果を得ることができ、さらに静菌効果を得ることができる。  
また、緑茶抽出成分は、誤飲しても無害であるため、安全性を確保できる。  
また、フラボノイドの静菌効果によって、フラボノイド成分が残存している間は、細菌の繁殖も防止することができる。
【００２４】
また、この発明の態様として、前記除菌成分をアルコールで形成することができる。  
前記アルコールは、エチルアルコールであることを含む。
【００２５】
これにより、即効性のある除菌効果を得ることができる。  
また、エチルアルコールの濃度によって除菌効果を調整することができるため、所望する除菌効果を容易に得ることができる。また誤飲した場合であっても無害であるため、安全性を確保することができる。
【００２６】
また、アルコールの臭気や揮発性によって、利用者が洗浄液の除菌効果をイメージしやすくなり、利用者の満足度を向上させることができる。
【００２７】
また、この発明の態様として、前記洗浄液と前記噴射剤との質量配合比を、前記噴射剤が４０％以上となるように構成することができる。
【００２８】
これにより、封入部に洗浄液が残存することなく、最後まで使い切ることができる。  
また、この発明の態様として、前記洗浄液に、忌避成分を追加することができる。
【００２９】
前記忌避成分は、動物、虫が嫌がる成分によって近寄らせない効果を有する成分を指し、ナフタリン、または樹液成分を含む。  
これによって、犬が再度その場所に排尿することを防止できる。
【００３０】
また、飼い主に限らず、たとえば、よく犬に排尿されて困惑している家主であっても、忌避成分を追加した洗浄液を当該箇所に噴射させるだけで、野良犬や野良猫等の排尿を防止することができる。
【発明の効果】
【００３１】
この発明によれば、面倒なく容易に犬の排尿を洗浄するだけで、除菌効果および消臭効果を得ることができる。
【発明を実施するための最良の形態】
【００３２】
この発明の一実施形態を以下図面と共に説明する。  
除菌消臭洗浄スプレー１の側面図を示す図１、除菌消臭洗浄スプレー１の正面図を示す図２とともに除菌消臭洗浄スプレー１について説明する。
【００３３】
除菌消臭洗浄スプレー１は、スプレー容器２に混合洗浄液１０を封入して構成している。詳述すると、スプレー容器２は、適宜の内容量（例えば２００ｍｌ）を封入できるサイズ（例えば直径５ｃｍ、高さ１９ｃｍ程度）の円筒形のタンク部３と、タンク部３の上部に備えた封入キャップ４と、封入キャップ４に接続したスプレー部５とで構成している。
【００３４】
なお、タンク部３のサイズは、これに限定されず、大型犬の排尿量にあわせた適宜のサイズ（例えば直径６ｃｍ、高さ２５ｃｍ程度）に形成してもよいし、携帯性を高めた適宜のサイズ（例えば直径４ｃｍ、高さ１５．５ｃｍ程度）に形成してもよい。
【００３５】
また、タンク部３は、タンク部３内に封入した洗浄液と噴射ガスとの混合洗浄液１０の封入圧力に対して十分な耐久力を有する適宜の肉厚を有するアルミ製であり、底面を一体に形成した円筒形の上方の１／５程度を、上面に円形開口部（図示省略）を有する上突な半球状に形成している。
【００３６】
また、封入キャップ４は平面視円形であり、中心付近に上下方向に可動であり、上方向に反発力を有する噴出口９を備え、封入キャップ４の周縁部をタンク部３の前記上面に嵌着することで、タンク部３内に適宜の圧力で混合洗浄液１０を封入している。
【００３７】
なお、上端位置にある噴出口９は混合洗浄液１０の噴出を遮断する閉状態であり、下方に移動することで混合洗浄液１０の噴出を許容する開状態となる。また、噴出口９の移動量によって、噴出口９の開度を調製することができるため、混合洗浄液１０の噴出量を容易に調整することができる。
【００３８】
また、スプレー部５はカバー６と、カバー６内部に備えたノズル７と、トリガ８とで構成している。
【００３９】
なお、トリガ８はカバー６に対して、上部を軸として前後方向（図１中左右方向）に往復回動可能に構成されるとともに、トリガ８の往復回動に連動して噴出口９が上下に従動する構成となっている。
【００４０】
詳述すると、通常状態では、トリガ８は前方位置にあるとともに、噴出口も上端位置にあるが、利用者がトリガ８を押圧して後方位置に回動すると、トリガ８の回動に連動して、噴射口９は下方に移動させられ、噴出口９から混合洗浄液１０を噴出することができる。
【００４１】
逆に利用者がトリガ８を開放すると、上方への反発力によって噴出口９が上端位置に戻り、噴出口９からの混合洗浄液１０の噴出を停止するとともに、トリガ８は前方位置に戻る。
【００４２】
また、ノズル７はカバー６内部で噴出口９に接続されている。  
なお、ノズル７は正面視中央に円形のノズル口７ａを備え、ノズル口７ａの形状及び構成によって内容物の噴射状態を変更することができる。
【００４３】
上記構成により、噴出口９に接続されたノズル７のノズル口７ａから混合洗浄液１０を噴射させることができる。
【００４４】
したがって、利用者はタンク部３を握持しながら、トリガ８を人差し指等で後方に引くことによって、ノズル口７ａから混合洗浄液１０を勢いよく噴射させることができる。
【００４５】
なお、混合洗浄液１０は表１に示す配合で混合してタンク部３内に封入している。
【００４６】
【表１】
2006167343.tif 000003
ここで、表１中の水は、貝殻焼成カルシウム粉末を所定の割合で混入したオゾン除菌水をろ過したオゾン除菌ろ過水である。
【００４７】
なお、オゾン除菌水は、水道水をオゾンによって除菌した除菌水であり、水道水の不純物を除菌および除去している。
【００４８】
オゾン除菌水は、酸素分子（Ｏ２）と酸素原子（Ｏ）からなるオゾンで除菌した際に、水道水中にオゾンが溶解するため、ヌメリ除去作用、除菌作用、脱臭作用および鮮度保持作用を有し、さらに手肌にも優しく、安全性の高い除菌水である。
【００４９】
また、オゾン除菌水中に溶解したオゾンは分解して酸素となるため二次公害の惧れがないため安全性が高い。  
また、貝殻焼成カルシウム粉末は、ほっき貝等の天然の貝殻の貝殻表層部を研磨洗浄し、１０００℃以上の高温で焼成加工したものであり、主成分はＣａ（ＯＨ）２で形成されている。
【００５０】
なお、貝殻焼成カルシウム粉末をオゾン除菌水に混入する混入量を調整することでオゾン除菌水のｐＨ値を調整することができる。本実施例においては、オゾン除菌水１０００ｍｌに対して貝殻焼成カルシウム粉末を１ｇ混入してｐＨ値を１２に調整している。
【００５１】
また、オゾン除菌水に貝殻焼成カルシウム粉末を混入し、Ｃａ（ＯＨ）２をオゾン除菌水に溶解させることでｐＨ調整するが、貝殻焼成カルシウム粉末はオゾン除菌水に溶解しないため、オゾン除菌水をペーパフィルタ等でろ過して用いている。
【００５２】
また、表１中の消臭剤は、天然の茶葉抽出物であり、タンニンの一種であるフラボノイドである。フラボノイドは、食品添加物にも用いられ、消臭作用、静菌作用、酸素活性阻害作用および抗菌作用を有する高性能の天然抽出物である。
【００５３】
また、表１中のエタノールは、エチルアルコールと呼ばれる経口摂取した場合であっても無害なアルコールであり、１００％に近い高純度の無水アルコールを用いている。
【００５４】
エチルアルコールは、無水状態の高純度よりも、蒸留水等を加えて８０％程度の希釈された希釈アルコールの方が除菌効果が高く、８０％以下の純度の希釈アルコールは、８０％希釈アルコールより除菌効果の即効性は低減するものの、一定時間の経過によって同様の除菌効果を有する。
【００５５】
なお、本実施例において、水、消臭剤ならびにエタノールを表１に示す配合比率で配合して混合洗浄液１０を形成している。
【００５６】
また、表１中の噴射ガスは、液化石油ガス（ＬＰＧ）であり、液体状で混合洗浄液１０と混合して封入されている。なお、液状であるＬＰＧは、気化すると体積がおおよそ２５０倍となり、混合洗浄液１０の噴出による圧力開放により気化することで混合洗浄液１０を勢いよく噴出することができる。  
なお、本実施例においてＬＰＧを用いているが、水に溶解しやすいジメチルエーテル（ＤＭＥ）や不活性ガスを用いてもよい。
【００５７】
以上の構成により、混合洗浄液１０は、消臭効果および除菌効果を有することができる。  
詳述すると、エチルアルコールによる即効性ある除菌効果、貝殻焼成カルシウム粉末を混入してｐＨ調整してろ過したオゾン除菌ろ過水によって混合洗浄液１０が乾燥するまでの所定期間の除菌効果を得ることができる。
【００５８】
また、混合洗浄液１０を配合してスプレー容器２に封入しているため、利用者は自分で前もって配合したり、粉末を溶解する手間がなく、利用者の満足度を向上することができる。
【００５９】
また、混合洗浄液１０にオゾン除菌水を配合したことによって、尿にヌメリがあった場合であっても、オゾン除菌水に溶解したオゾンによってヌメリを除去することができるとともに、水道水に含まれる不要含有物を除去することができるため、水道水を混合洗浄液１０の原材料として使用することができる。したがって洗浄液のコストを低減することができる。
【００６０】
また、貝殻焼成カルシウム粉末を混入してｐＨ調整してろ過したオゾン除菌ろ過水を用いたことによって、混合洗浄液１０自体の鮮度を保持することができるため、混合洗浄液１０の使用可能期限を長く設定することができる。
【００６１】
また、混合洗浄液１０にフラボノイドを配合したことによって、混合洗浄液１０を誤飲した場合であっても、無害である洗浄液を得ることができるとともに、排尿洗浄後の消臭効果を得ることができる。また、フラボノイドの静菌効果によって、フラボノイド成分が残存している間は、細菌の繁殖も防止することができる。
【００６２】
また、除菌成分として、エチルアルコールを用いたことによって、容易に所望のアルコール濃度に調整できるとともに、誤飲した場合であっても無害である。
【００６３】
また、オゾン除菌ろ過水によってエチルアルコールの濃度が低下することで、エチルアルコールの除菌効果は低減するが、貝殻焼成カルシウム粉末を混入してｐＨ調整後のオゾン除菌水をペーパフィルタ等でろ過したオゾン除菌ろ過水の貝殻焼成カルシウムの除菌効果によって低減されたエチルアルコールの除菌効果を補うことができる。
【００６４】
また、混合洗浄液１０にエチルアルコールを配合することで、噴射された混合洗浄液１０のエチルアルコールによる臭気及び揮発性によって、利用者は混合洗浄液１０の除菌効果をイメージできるため利用者の満足度を向上することができる。
【００６５】
また、混合洗浄液１０と噴射ガスとの配合比を表１に示すように５５対４５の配合としたことによって、混合洗浄液１０がなくなるまで、ノズル７から勢いよく噴射させることができる。したがって、タンク部３に混合洗浄液１０が残存することなく、最後まで使い切ることができる。
【００６６】
また、混合洗浄液１０を構成する全ての成分を、経口摂取した場合であっても無害な成分で構成したことで、除菌消臭洗浄スプレー１の使用の安全性を確保することができる。
【００６７】
したがって、排尿を洗浄した跡を、犬が臭いを嗅いだり、なめたりした場合であっても犬に害を与えることはないため、利用者は安心して除菌消臭洗浄スプレー１を使用することができる。  
なお、上記表１中の配合はこれに限定されず、適宜の配合比率で配合してもよい。
【００６８】
次に、除菌消臭洗浄スプレー１の使用状態の説明図を示す図３とともに、除菌消臭洗浄スプレー１の使用方法について説明する。  
利用者は、犬の散歩時に除菌消臭洗浄スプレー１を持参し、犬が例えば他人の家屋の門柱２０等に排尿した際に、排尿した門柱２０から３０ｃｍ程度離し、尿２１の上方からスプレーする。
【００６９】
この際、噴射時間は尿２１の全表面に混合洗浄液１０を噴射するのに適した噴射時間だけ噴射すればよい。
【００７０】
なお、除菌消臭洗浄スプレー１から噴射される混合洗浄液１０は、図３に示すように霧状ではなく、霧粒子より大きく、目視できる程度の粒子で拡散しながら、適宜の速度で前方に噴射される。
【００７１】
詳述すると除菌消臭洗浄スプレー１から噴射された混合洗浄液１０は、同じ位置から一般的に用いられる噴霧スプレーによって霧状に噴霧された噴霧範囲より、狭い範囲に噴射されるが、霧粒子より大きな粒子状態で勢いよく噴射されるため、ドライな箇所に噴射した際は、均一的にウェットになるような噴射状態である。
【００７２】
したがって、尿２１は、混合洗浄液１０の噴射の勢いによって、洗い流すことができる。  
これによって、犬を散歩させている飼い主は、犬が他人の門柱２０に排尿した場合であっても、排尿後に除菌消臭洗浄スプレー１で尿２１を洗浄するとともに、除菌、消臭も行うことができる。したがって、犬の排尿中に住人が住居から出てきた場合であっても、気まずい思いをすることがなくなる。
【００７３】
また、除菌消臭洗浄スプレー１に混合洗浄液１０を封入したことで、除菌消臭洗浄スプレー１の携帯性ならびに利用性が高まる。このため、除菌消臭洗浄スプレー１の使用に対して利用者の手間ならびに面倒が軽減でき、尿２１を洗浄するといった習慣を飼い主に広く浸透させることができる。
【００７４】
したがって、地域の衛生環境の向上を図ることができる。  
また、排尿の洗浄だけでなく、除菌消臭洗浄スプレー１は大便を取り去った後の洗浄にも用いてもよい。  
これにより、取り去った大便の跡に残存する目に見えないばい菌や病原菌の除菌や消臭を容易に行うことができる。
【００７５】
また、混合洗浄液１０に忌避剤を配合してもよい。忌避剤は、木酢液、りんご酸や天然有機酸主成分のリグニン分解物で構成し、それらの臭気によって動物の近寄りを防止するものであり、また忌避剤自体にも消臭効果を有する。
【００７６】
上記忌避剤を適宜の比率で混合洗浄液１０に配合することによって、混合洗浄液１０を噴射したところに犬が再度排尿することを防止できる。
【００７７】
したがって、除菌消臭洗浄スプレー１の利用者は犬を散歩させる飼い主でなくとも、自宅の門柱等によく排尿される住人は当該箇所に忌避剤を配合した混合洗浄液１０を噴射しておくだけで、野良犬や野良猫等の排尿を防止することができる。
【００７８】
この発明の構成と、上述の実施形態との対応において、
この発明の封入部は、タンク部３に対応し、
以下同様に、
噴射口は、ノズル７に対応し、
除菌消臭洗浄剤噴射装置は、除菌消臭洗浄スプレー１に対応し、
洗浄液は、混合洗浄液１０に対応するも、
この発明は、上述の実施形態の構成のみに限定されるものではなく、多くの実施の形態を得ることができる。
【図面の簡単な説明】
【００７９】
【図１】除菌消臭洗浄スプレーの側面図。
【図２】除菌消臭洗浄スプレーの正面図。
【図３】除菌消臭洗浄スプレーの使用状態の説明図。
【符号の説明】
【００８０】
１…除菌消臭洗浄スプレー
３…タンク部
７…ノズル
１０…混合洗浄液
【図１】
2006167343.tif 000004
【図２】
2006167343.tif 000005
【図３】
2006167343.tif 000006